(57)【要約】      （修正有）【課題】多量のアイテムを一枚ずつ分配する装置を提供する。【解決手段】カバーである第１部分５と、後退位置と伸長位置の間で第１部分５に対して移動可能である、特に引き出しとなる第２部分６とを備える箱と、第２部分６に配置される前記アイテムの多量のまとまり３とを備え、該第１部分は、第２部分が後退位置に向かって移動する間に、アイテム４の多量のまとまり３を押圧するように、及び、それと接触するアイテム４ａを利用者が掴むことができるようにするために多量のまとまり３の残りに対して該アイテムを運ぶように構成された駆動部材１０を備え、第２部分６と駆動装置１０は、第２部分６が後退位置から伸長位置へ向かう行程の間に、該駆動部材１０がアイテム４の多量のまとまり３の押圧を防ぐように構成した。【選択図】図１
2005193983.tif 000002
【特許請求の範囲】
【請求項１】
多量のアイテム（４）をパッケージし、かつ分配する装置（１）であって、
特にカバー（５）である第１部分（５）と、後退位置と伸長位置の間で第１部分（５）に対して移動可能である、特に引き出し（６）である、第２部分（６）とを備える箱と、
第２部分（６）に配置される前記アイテム（４）の多量のまとまり（３）とを備え、
該第１部分は、第２部分が後退位置に向かって移動させられている間に、アイテム（４）の多量のまとまり（３）を押圧するように、及び、それと接触する１つのアイテム（４ａ）を利用者が掴むことができるようにするために多量のまとまり（３）の残りに対して該アイテムを運んでいくように構成された駆動部材（１０）を備え、
第２部分（６）と駆動装置（１０）はまた、第２部分（６）が後退位置から伸長位置へ向かう行程の少なくとも１部分の間に、該駆動部材（１０）がアイテム（４）の多量のまとまり（３）を押圧することを防ぐように構成されている
ことを特徴とする装置。
【請求項２】
各アイテム（４）が平板であることを特徴とする請求項１に記載の装置。
【請求項３】
各アイテム（４）が半分に折れまがっていることを特徴とする請求項１に記載の装置。
【請求項４】
各アイテム（４）が凹状であることを特徴とする請求項１に記載の装置。
【請求項５】
各アイテム（４）が、特に突起である起伏形状を備えることを特徴とする請求項１に記載の装置。
【請求項６】
駆動部材（１０）は、駆動部材がアイテム（４）の多量のまとまり（３）に接触圧力をかけることを可能にするように構成された弾性変形可能なタブ（１５）を備えることを特徴とする請求項１に記載の装置。
【請求項７】
当該タブ（１５）は、プラスチック材料を成形することによって、第１部分（５）と一体的に製作されていることを特徴とする請求項６に記載の装置。
【請求項８】
第２部分（６）は、駆動部材が多量のまとまり（３）に接触しながらそこを通って伸びていくところのスロット（７６）を備えることを特徴とする請求項１〜７のいずれか１項に記載の装置。
【請求項９】
第２部分（６）は、第２部分が後退位置から伸長位置に向かって進む行程の少なくとも一部分の間に、駆動部材（１０）をアイテムの多量のまとまり（３）から離間させておくように構成された少なくとも１つの滑り面（４１）を備えることを特徴とする請求項８に記載の装置。
【請求項１０】
第２部分（６）は、第２部分（６）の２つのそれぞれ対向する側（３８）に結合する２つの滑り面（４１）を有することを特徴とする請求項９に記載の装置。
【請求項１１】
駆動部材は、第２部分（６）が後退位置から伸長位置に向かって進む行程の少なくとも一部分の間に、当該滑り面に支えられるように構成された突起（１８）を備え、当該突起（１８）は特に、プラスチック材料を成形することによって駆動部材（１０）と一体的に製作されていることを特徴とする請求項１０に記載の装置。
【請求項１２】
第２部分（６）には、おのおの滑り面の１つを支える対向するブランチ（３８）を有するフレームが形成されていることを特徴とする請求項１０または請求項１１に記載の装置。
【請求項１３】
第２部分（６）は、アイテムを分配するために第２部分(６）が伸長位置から後退位置に移動する間に駆動部材（１０）が接触する端部（４６）を有する少なくとも１つの滑り面（４１）を備え、第２部分（６）は、第２部分（６）が完全な閉鎖位置に到達した時に駆動部材（１０）を滑り面の端部（４６）を通過させるようにした壁（３０）を備えて、第２部分（６）が再び伸長位置に向かって移動させられる間に駆動部材が滑り面（４１）に支持されるようにすることを特徴とする請求項１〜１２のいずれか１項に記載の装置。
【請求項１４】
滑り面（４１）と前記壁（３０）との間の最短距離（ｄ）は、前記壁（３０）を押圧する駆動部材の表面（１７）と、駆動部材がアイテムの多量のまとまり（３）に接触せずに滑り面に支えられる時に滑り面を押圧する駆動部材の表面（１８）との間の距離（ｒ’〜ｒ”）よりも小さいことを特徴とする請求項１３に記載の装置。
【請求項１５】
各滑り面（４）の前端部分（４６）は前方に向かって先細りであることを特徴とする請求項１３または請求項１４に記載の装置。
【請求項１６】
各滑り面の前端部分（４６）は自由端であることを特徴とする請求項１３または請求項１４に記載の装置。
【請求項１７】
第２部分（６）は、第２部分（６）がアイテム（４ａ）を分配するために伸長位置から後退位置に向かって移動させられる間および第２部分（６）が後退位置近傍にある間に、駆動部材（１０）が支えられる傾斜（３０）を備えることを特徴とする請求項１〜１６のいずれか１項に記載の装置。
【請求項１８】
当該傾斜（３０）は、下向きのリム（３１）と協働して、利用者が第２部分を後退位置と伸長位置の間を移動させるために第２部分（６）を掴むことを可能にするセットバック（３２）を構成することを特徴とする請求項１７に記載の装置。
【請求項１９】
第２部分（６）は、特に膜ヒンジである、ヒンジ（２８）によって互いに連結される２つのヒンジ連結部分（２６，２７）として作製されていることを特徴とする請求項１〜１８のいずれか１項に記載の装置。
【請求項２０】
第２部分は、ヒンジ連結部分の一方（２７）が他方（２６）に折り重なった時にアイテムの多量のまとまりを前方に傾斜させるようになっている傾斜（３６）が形成されていることを特徴とする請求項１９に記載の装置。
【請求項２１】
第１部分（５）は、第２部分（６）が伸長位置にある時、２つのヒンジ連結部分(２６、２７）が前方に開口した角をなすことを可能にするように構成されていることを特徴とする請求項２０に記載の装置。
【請求項２２】
第２部分（６）には、第２部分（６）が伸長位置にある時に、カバー（５）の対応する第２起伏形状（２０）と協働して、第２部分（６）の行程終端の当接部を構成する第１起伏形状（２３）を底面に備える底壁（２４）が形成されることを特徴とする請求項１〜２１のいずれか１項に記載の装置。
【請求項２３】
第２部分（６）は、その上部前縁に突起（５０）を備えることを特徴とする請求項１〜２２のいずれか１項に記載の装置。
【請求項２４】
アイテム（４）を分配する装置の製造方法であって、前記製造方法は、
２つのヒンジ連結部分（２６，２７）を備える引き出し（６）に、分配するべきアイテムの多量のまとまり（３）を載置し、
カバー（５）を引き出しに組みつける工程からなり、
当該カバー（５）は、引き出しがその後退位置に向かって移動させられている間に、アイテム（４）の多量のまとまり（３）を押圧するように、及び、それと接触する１つのアイテム（４ａ）を利用者が掴むことができるようにするために多量のまとまり（３）の残りに対して該アイテムを運ぶように構成された駆動部材（１０）を備え、
引き出し（６）と駆動部材（１０）とは、引き出しが後退位置から伸長位置に向かって進むストロークの少なくとも一部分の間に、駆動部材（１０）がアイテム（４）の多量のまとまり（３）を押圧することを防ぐようにも構成されていることを特徴とする方法。
【請求項２５】
カバー（５）に対して移動可能な引き出し（６）に収容されたアイテム（４）であり、引き出し（６）の中で多量のまとまり（３）を成すアイテム（４）を分配する方法であって、
箱のカバー（５）は、引き出しがその後退位置に向かって移動させられる間にアイテム（４）の多量のまとまり（３）を押圧するように、及び、それと接触する１つのアイテム（４ａ）を利用者がつかむことができるようにするために多量のまとまり（３）の残りに対して該アイテムを運ぶように構成された駆動部材（１０）を備え、
引き出し（６）と駆動部材（１０）は、引き出しが後退位置から伸長位置に向かって進む行程の少なくとも一部分の間に、当該駆動部材（１０）がアイテム（４）の多量のまとまり（３）を押圧することを防ぐようにも構成されていることを特徴とする方法。
【発明の詳細な説明】
【技術分野】
【０００１】
本発明は、多量のアイテムを媒体中の特定の化粧品中にパッケージしかつ分配するための装置に関する。
【背景技術】
【０００２】
ケア製品を含む化粧品に使用されるある反応性物質は、例えば液体に浸漬したり液体に溶解するために薄いシート状で、利用者に提供することができる。
【０００３】
そのようなシートを、上げたり取り外したりできるカバーのついた従来の箱にパッケージすることはあまり満足できるものではない。
【０００４】
シートは重量的に非常に軽く、カバーが開けられると箱から出てしまうという危険がある。
【０００５】
また、箱の中のシートをつかみ取ろうとする利用者が他のシートにもさわり、衛生上の問題を引き起こす危険もある。
【０００６】
一度にたった１枚のシートをつかみ取ることもまた難しい。
【０００７】
米国特許第２３６０１６２号には、チューインガムのスティックの分配器であって、スティックを１本ずつ取り出すことを可能とする送り板を備える分配器が記載されている。スティックの多量のまとまりは、連続的に送り板の上に載せられ、ばねが、カバー上に設けられてその多量のまとまりを板に対して押し付けるようになっている。
【０００８】
米国特許第２９７３８８２には、多量のまとまりの一番上のスティックが押されてスロットを通ることを可能とするスライダを備えた別のチューインガムのスティック分配器が記載されている。
【０００９】
米国特許第１６６６０９５号、第６２３０８７９号および第６５７８７３２号、英国特許出願ＧＢ２３５８６２７、およびスイス特許ＣＨ４６１０２５号には、かなりよく似た分配器が記載されている。
【００１０】
欧州特許出願ＥＰ０３１９０４６には同じ様に作用する名刺分配器が記載されている。
【００１１】
これらの既知の分配器は薄いシートには向いていないし、またそれらは比較的複雑である。
【００１２】
米国出願２００３／０１０６９００には、多量のシートを含む底部に対して移動可能な上部を備える、製品シートの分配器が記載されている。上部は、上部の移動中に、一枚のシートを出口に向かって運ぶために、利用者が押圧してもよい変形可能部分を備える。
変形可能部分は、底部に対して上部の位置にある多量のシートのいずれに接触してもよい。
【００１３】
【特許文献１】米国特許第２３６０１６２号、米国特許第２９７３８８２、米国特許第１６６６０９５号、米国特許第６２３０８７９号、米国特許第６５７８７３２号、英国特許出願ＧＢ２３５８６２７、スイス特許ＣＨ４６１０２５号、欧州特許出願ＥＰ０３１９０４６、米国出願２００３／０１０６９００
【発明の開示】
【発明が解決しようとする課題】
【００１４】
本発明は、以下の装置を提供することにより、上記の問題のうちのいくつかまたはすべてを解決することを目的とする。
【課題を解決するための手段】
【００１５】
本発明は、多量のアイテムをパッケージし、かつ分配する装置であって、その装置は特にカバーである第１部分と、後退位置と伸長位置との間で第１部分に対して移動可能な、特に引き出しである第２部分とを備える箱と、第２部分に配置される前記アイテムの多量のまとまりとを備える。特に箱のカバーであるその第１部分は、特に引き出しである第２部分が後退位置に向かって移動させられている間に、第１に、アイテムの多量のまとまりを押圧するように、及び第２に、それと接触するアイテムを利用者が掴むことができるようにするためにアイテムの多量のまとまりの残りに対して該アイテムを運ぶように構成された駆動部材を備える。特に引き出しである第２部分と駆動部材はまた、第２部分が後退位置から伸長位置へ向かって進む行程の少なくとも１部分の間、その駆動部材がアイテムの多量のまとまりを押圧することを防ぐように構成されている。
【００１６】
そのような装置は、第２部分に加えられ、第２部分を第１部分に対して、各分配サイクルごとに一往復運動をさせるようにする単一の動作を用いることによって、アイテムを１つずつ分配することを可能にする。
【００１７】
分配サイクルの初期段階の間、例えば、引き出しがカバーから抜き出される間は、アイテムは分配されない。分配は、引き出しの後退移動の間に行われる。
【００１８】
本発明はまた使用前のアイテムの不必要な分配を避けることができるので、アイテムが清潔にパッケージされることを保証する。
【００１９】
そのような装置は、以下にもっと詳細に述べるように、特に第２部分をプラスチック材料の成形による膜ヒンジによって互いに連結される２つのヒンジ連結部状にすることによって比較的低価格で大規模の分配にも対応できるように製作されることができる。
【００２０】
当該駆動部材は、駆動部材がアイテムの多量のまとまりに十分な接触圧力をかけて、多量のまとまりの一番上にあるアイテムを運ぶことを可能にするように構成された弾性変形可能なタブを備えていてもよい。
【００２１】
当該タブは、プラスチック材料を成形することによって、第１部分と一体的に製作されてもよい。
【００２２】
このようにして、本発明の実施例では、例として、当該装置は、利用者がアイテムを伸長位置に向かって運ぶために押さなくてはならない、その上側に変形可能な部分がないようにしてもよい。
【００２３】
特に引き出しである第２部分は、駆動部材が多量のまとまりに接触しながら通って伸びていくスロットを備えていてもよい。
【００２４】
第２部分は、第２部分が後退位置から伸長位置に向かって進む行程の少なくとも一部分の間、駆動部材をアイテムの多量のまとまりから離間するように移動させるように構成された少なくとも１つの滑り面を備えていてもよい。
【００２５】
第２部分と駆動部材とは、前記第２部分が完全な後退位置に到達した時に駆動部材が滑り面に係合するように、または係合し始めるように構成されていてもよい。これにより、この完全後退位置において、駆動部材はもはやアイテムの多量のまとまりに接触しない。
【００２６】
１実施例では、第２部分は、第２部分の２つの対向する側にそれぞれ結合する２つの滑り面を有する。
【００２７】
駆動部材は、新しい分配サイクルの初期に、第２部分が後退位置から伸長位置に向かって進む行程の少なくとも一部分の間、当該滑り面に支えられるように構成された突起を備えてもよく、当該突起は特に、プラスチック材料を成形することによって駆動部材と一体的に製作されてもよい。
【００２８】
１例として、第２部分には、おのおの前記滑り面の１つを支える対向するブランチを有するフレームが形成されていてもよい。
【００２９】
第２部分は、アイテムを分配するために第２部分が伸長位置から後退位置に移動させられる間に駆動部材が接触する端部を有する少なくとも１つの滑り面を備えていてもよい。第２部分は、第２部分が完全な閉鎖位置に来た時に駆動部材を滑り面の第２の端部を通過させるようにした壁を備え、第２部分が再び伸長位置に向かって移動させられる時に駆動部材が滑り面に支えられるようにしてもよい。
【００３０】
滑り面と前記壁との間の最短距離は、前記壁を押圧する駆動部材の表面と、駆動部材がアイテムの多量のまとまりに接触せずに滑り面に支えられる時に滑り面を押圧する駆動部材の表面との間の距離よりも小さくてもよい。
【００３１】
滑り面の前端部分は前方に向かって先細りになっており、それによって、駆動部材が滑り面を通過しやすくなっていてもよい。
【００３２】
各滑り面の前端部分は自由端であり、それによって駆動部材が滑り面を通過しやすくなっていてもよい。
【００３３】
第２部分は、第２部分がアイテムを分配するために伸長位置から後退位置に向かって移動させられる時および第２部分が後退位置近傍にある時に、駆動部材が支えられる、特に上記壁によって構成された傾斜を備えていてもよい。
【００３４】
当該傾斜は、下向きのリムと共に、利用者が第２部分を後退位置と伸長位置の間を移動させるために第２部分を掴むことを可能にするセットバックを構成してもよい。
【００３５】
第２部分は、特に膜ヒンジである、ヒンジによって互いに連結される２つのヒンジ連結部分として製作されていてもよい。
【００３６】
第２部分は、第１部分と第２部分が互いに組み立てられる前に、ヒンジ部の一方が他方に折り重なった時にアイテムの多量のかたまりを前方に傾斜させるように構成された、もう１つの傾斜が後部に形成されていてもよい。
【００３７】
特にカバーである箱の第１部分は、第２部分が伸長位置にある時、上記２つのヒンジ連結部分を前方に開口した角をなすことを可能にさせるように構成されていてもよい。そのような角はアイテムがそこを通って分配されることを容易にするであろう。
【００３８】
第２部分は、第２部分が後退位置にある時に、２つのヒンジ連結部分を互いに支えられるようにするのに適した突起をその上部前縁に備えてもよい。
【００３９】
第２部分は、第２部分が伸長位置にある時に、対応する第１部分の第２起伏形状と協働して、第２部分の行程終端の当接部を構成する第１起伏形状を有する底面を備える底壁が形成されていてもよい。
【００４０】
他の局面では、本発明はまた、アイテムを分配する装置の製造方法を提供し、当該製造方法は、２つのヒンジ連結部分を備える引き出しに、分配するべきアイテムの多量のまとまりを載置し、カバーと引き出しを組み立てる工程からなり、当該カバーは、引き出しがその後退位置に向かって移動させられている間に、アイテムの多量のまとまりを押圧して、接触する１つのアイテムを利用者がそれを掴むことができるように、そのアイテムをのこりの多量のまとまりに対して運ぶように構成された駆動部材を備え、引き出しと駆動部材とは、引き出しが後退位置から伸長位置に向かって進むストロークの少なくとも一部分の間に、駆動部材がアイテムの多量のまとまりを押圧することを防ぐようにも構成されている。
【００４１】
他の局面において、本発明は、カバーに対して移動可能な引き出しに収容されたアイテムであり、引き出しの中で多量のまとまりを成すアイテムを分配する方法であって、そのカバーは、引き出しがその後退位置に向かって移動させられる間にアイテムの多量のまとまりを押圧し、接触する１つのアイテムを利用者がつかむことができるように、残りの多量のまとまりに対してそのアイテムを運ぶように構成された駆動部材を備え、引き出しと駆動部材は、引き出しが後退位置から伸長位置に向かって進む行程の少なくとも一部分の間に、当該駆動部材がアイテムの多量のまとまりを押圧することを防ぐようにも構成されている。
【発明を実施するための最良の形態】
【００４２】
本発明は非限定的な実施例の以下の詳細な説明を読み、添付の図面を考察することでよりよく理解できるであろう。
【００４３】
図１に示すパッケージ分配装置１は、アイテム４の多量のまとまり３を収容する箱２を備える。
【００４４】
アイテムは概ね平坦で、例えば、可撓性があり少なくとも１つの活性剤、特に、化粧品または皮膚科学において活性のある薬剤を含む薄いシートによって構成されていても良い。
【００４５】
例として、上記シートは、合成または、例えば寒天ゲルなどの植物由来の乾燥樹脂の基体からなる。
【００４６】
好ましくは、そのシートは、網目に少なくとも１つの活性剤が含まれたメッシュシートであってもよい。
【００４７】
例として、シートの暑さは０．５ミリメートル（ｍｍ）未満で、例えば、記載の例では平均０．２ｍｍである。
【００４８】
アイテム４は、例えば５センチメートル（ｃｍ）または１０ｃｍ以下の長い寸法を有する四辺形または正方形の形をしていてもよい、これらの数値はただ例として提示しただけである。
【００４９】
多量のまとまり３のアイテム４の数は例えば１０個から１００個の範囲である。
【００５０】
例として、アイテム４は使い捨てで、少なくとも１つの活性剤を放出するために、例えば特に水である液体に溶解するようにされていてもよい。
【００５１】
変形例では、図１９に示すように、アイテム４は例えば突起のような起伏した形を備えていてもよい。
【００５２】
図２０には、概ね凹状の形をしたアイテムが示されている。
【００５３】
図２１に示すように、各アイテム４は半分に折り曲げられていてもよい。
【００５４】
箱２は、図２に単独で示されるカバー５からなる第１部分と、多量のまとまり３が載置されるハウジング７の底部を画定する底壁２４を有する引き出し６によって形成される第２部部分とを備える。
【００５５】
「カバー」という用語は、広義に理解されるべきであって、図示の例のように外側にある箱の一部も、箱のおおいまたはボディによってそれ自身覆われている箱の一部をも等しく蔽うものである。
【００５６】
カバー５は、このように箱のボディを構成し、図に示すように前部を除く引き出し６の周りじゅうに延びる。
【００５７】
カバー５は箱の上部しか構成することができないであろう、例えば、図に示されていない構成の引き出しの上部を全部または部分的にしか覆うことができないであろう。
【００５８】
引き出し６はＸ軸に沿ってカバー５に対して移動することができ、説明の例においては、平行に移動することができる。
【００５９】
図１において、引き出し６はその後退位置にあり、それは、特に図１２に示すように伸長位置に達するように前方、即ち図１の右側に移動することができる。
【００６０】
図示の例において、軸Ｘは装置の縦軸にも相当する。
【００６１】
カバー５の外形は、概ね直方体で、その前端の開口は下方および後方へ傾斜する面５３を占めている。
【００６２】
箱のカバー５は、述べられている例において、プラスチック材料を成形することによってカバー５の上壁１１と一体的に作られた駆動部材１０を備え、カバー５自体は都合よく単独部分を構成している。
【００６３】
開口１２は、スライド付きの型を使用して、駆動部材１０が成形されるように、カバー５の底壁１３に作られてもよい。
【００６４】
述べられている例において、駆動部材１０は、図２に見られるように、斜め下方と前方に延び、その底端が後述する分配サイクルの間に多量のまとまり３の一番上にあるアイテム４ａと接触する終端部１６に接続する可撓性のあるタブ１５を備える。
【００６５】
図示の例において、終端部１６は、Ｙ軸を中心とした略円筒形の外側表面のフラクション１７を呈示しており、Ｙ軸はＸ軸に対して略垂直で多量のまとまり３の上面に平行である。
【００６６】
図４において見られるように、横方向端部において、終端部１６には、突起１８、例えばＹ軸を中心として、フラクション１７の半径ｒ’より小さい半径ｒ”の円筒形の突起が設けられている。
【００６７】
タブ１５は、特にアイテム４を分配する１サイクルの間に弾性的に前方および上方へ曲がることを可能にするプラスチック材料からなっていてもよい、例えば、それはポリオレフィン、例えばナイロン（登録商標）、デブリン（登録商標）などのポリアミド、またはスティレン重合体から作られることができる。
【００６８】
図２に見られるように、カバー５には、図示の例では上向きの段によって形成される、底壁１３の前端に近い第１起伏形状２０が形成されており、その第１起伏形状２０は引き出し６の第２起伏形状２３と協働するようにされており、この第２起伏形状２３も同様に、この例では、底壁２４の底面に作られた段によって構成されている。
【００６９】
説明の例では、引き出し６は、２つのヒンジ連結部分、第１部分２６と第２部分２７を備え、それらは、引き出し６をプラスチック材料を成形することによって、例えば図３に示される構成のような展開された構成に作ることを可能にする膜ヒンジ２８によって相互に連結されている。図示されていない変形例では、２つの部分２６および２７は、例えば金属ヒンジピンを有するヒンジのような、膜ヒンジ以外のヒンジによって相互に連結されている。
【００７０】
底壁２４を含む第１部分２６は、下向きリム３１によって前部が延びている傾斜３０を構成する上方および前方に傾斜する前壁を形成している。
【００７１】
セットバック３２は、傾斜の下方で、リムの後方に形成され、利用者が、その伸長した位置に向かってカバー５に対して引き出し６を移動させるために、少なくとも、例えば人さし指などの１本の指をそこに係合させることを可能にしている。
【００７２】
図示の例の傾斜３０の傾斜は底壁２４に対して約４５度であるが、例えば３０度から６０度の範囲内の他の傾斜を使用することも可能であり、その傾斜は任意に変化する傾斜であってもよい。
【００７３】
引き出し６の第２部分２７は、図５に見られるフレーム３４と、引き出し６がカバー５の内側のしかるべき位置にある時に、例えば傾斜３０の傾斜角と略同じの、底壁２４に対する傾斜角度で後方および下方へ伸びる後壁３６とを備える。
【００７４】
図示のように、フレーム３４は、略四辺形の形状で、Ｘ軸に概ね平行に延びて、前部にて前部ブランチ３９によって相互に連結される２本の横方向ブランチ３８を有し、その前部ブランチ３９はＸ軸に略垂直で多量のまとまり３の上面に平行に延びている。
【００７５】
ブランチ３８および３９は、駆動部材が多量のまとまり３を押圧するためにそこを通って伸びるところのスロット７６を画定している。
【００７６】
各横方向ブランチ３８は滑り面４１を他の横方向ブランチに対面した面４０上に支持している。本説明の例では、各滑り面４１は、図１に見られるように、対応する横方向ブランチ３８の底面４４と同面の略平坦な底面４３を有し、各横方向ブランチ３８は、例えば、概ね四角形の断面を有している。
【００７７】
特に図３において見られるように、各滑り面４１もまた、その長さの主な部分にわたって略一定の厚さeを有し、前部では、前方に向かって先細りの厚さを有する各端部４６を有していてもよく、前記端部４６の各々の上面７０は、引き出し６が図１に示す使用配置にある時、後方および上方へ傾斜する平面として延びている。
【００７８】
各スライド滑り面４１の前部４６は、図５に示すように、隙間８５によって、対応するブランチ３８から離間しており、自由であってもよい。
【００７９】
こうして、各前部４６は接合領域３６だけによって滑り面４１の残部に保持されている。
【００８０】
前ブランチ３９は、その上縁に、引き出し６が完全に後退した時にカバー５の上壁１１の底面５１を押す突起５０(図５に見られるように）を有する。
【００８１】
この説明の例において、端部４６と傾斜３０との間の最短距離ｄは、特に図１７に見られるように、半径ｒ’−ｒ”間の差よりも小さい。
【００８２】
引き出し６およびカバー５が作られた後、分配されるべきアイテムの多量のまとまり３が、図６および７に示すように、底壁２４に載置され、引き出し６は展開された位置にあり、それから、引き出しの第２部分２７は第１部分２６上に折りたたまれる。適切な場合は、特に多量のまとまり３が補充品からなる場合には、これらの作業は利用者によって行うことができる。
【００８３】
第２部分２７の移動中に、壁３６は、図８に見られるように、アイテム４の多量のまとまり３を斜めにしてそれらの前端が傾斜３０に略対向するようにする。
【００８４】
同図において、引き出し６がカバー５内で完全に後退しない限り、前ブランチ３９は引き出しの第１部分２６の前上縁から少し離間していることが分かる。
【００８５】
引き出し６はその後端がカバー５に差し込まれており、引き出し６がカバー５に押し込まれている間、駆動部材１０は曲がって後壁３６上を摺動する。
【００８６】
以下では、引き出し６は、図９に示される位置、つまり、カバー５内で完全に後退している位置にあるものとする。
【００８７】
図１８にみられるように、突起１８が、この時、滑り面４１の前端部４６に載置される。
【００８８】
引き出し６を抜く初期段階で、突起５０はカバー５の上壁１１を押圧をやめ、それによって、上ブランチ３９は、図１０に示すように、傾斜３０の上端から少し移動することが可能になる。
【００８９】
突起１８は滑り面４１に支持されたままであり、これによって、駆動部材１０の端部１６が多量のまとまり３に押し付けられることを防止する。
【００９０】
引き出し６を引き抜き続けると、図１１に示すように、突起１８は滑り面４１の後端に達し、その後、駆動部材１０は滑り面４１を離れ、タブ１５が弾性を有するため、図１２に示すように多量のまとまり３の一番上のアイテム４ａを押圧することができる。
【００９１】
この時に、起伏形状２０および２３は略当接し、引き出し６は略完全な伸長位置にある。その後、利用者が引き出しをカバー５の中に押し戻し始める時に、駆動部材の終端部１６が多量のまとまり３の一番上のアイテム４ａを多量のまとまりの残りのものに対して前方に摺動させ、図１３に見られるように、このアイテム４ａは、前ブランチ３９と傾斜３０の上端の間に設けられた間隙６３を通ってそこから出ることができる。
【００９２】
引き出し６が後退位置に略到達した時、本説明の例におけるアイテム４ａは十分に装置から取り出されているので利用者がそれをつかむのが容易になっている。
【００９３】
突起５０はまだカバー５の上壁１１に到達していない。突起５０がカバー５の上壁１１に到達すると、図１５に示すように、終端部１６は実際に傾斜３０上に達している。
【００９４】
壁を戻す動きが続くにつれ、フレーム３４は、図１６に示すように、引き出しの第１部分２６を押圧しがちであり、突起１８は弾性変形し、滑り面４１の前端部４６を通過して、組立品は図１８に示される構成をとる。
【００９５】
前端部４６は、突起からの駆動をうけて上方に曲がり、どうにか突起１８を通過する。
【００９６】
利用者が、アイテム４を分配する新しいサイクルを行うために引き出し６を引くと、突起１８は滑り面４１上に支えられ、上述のように、駆動部材が多量のまとまり３を押圧することを防ぐことができる。
【００９７】
当然、本発明は上述の実施例に制限されない。
【００９８】
特に、駆動部材１０は、例えば端部が突起１８を構成する金属ピンと共に製作されてもよい。
【００９９】
終端部１６は、それ自身とその下にあるアイテム４の間の摩擦を増やすように、塗装または例えばエラストマー製の要素などの処理をうけてもよい。
【０１００】
タブ１５は、何か他の形状をしていてもよく、例えば穿孔されていてもよい。
【０１０１】
装置１は補充に適切なように任意に構成されていてもよい。
【０１０２】
カバー５は任意に透明プラスチック材料で製作されてもよい。
【０１０３】
必要な場合、駆動部材はカバー５の残りの部分に装着してもよい、例えば、駆動部材はそこへスナップ止めしてもよい。
【０１０４】
単独で、または上記と組み合わせて、本発明はまた、多量のアイテムをパッケージし、かつ分配するための装置を提供し、その装置は、特にカバーである第１部分と、後退位置と伸長位置との間で第１部分に対して移動可能である特に引き出しである第２部分とを備える箱と、第２部分に配置される多量のまとまりの前記アイテムを備え、特に引き出しである第２部分が後退位置に向かって移動させられている間に、その第１部分は、まずアイテムの多量のまとまりを押圧し、次に接触するアイテムを利用者が掴みやすくするためにのこりの多量のまとまりに対して運ぶように構成され、第２部分と駆動装置は、第２部が完全に後退位置に置かれた時に、駆動部がもはやアイテムの多量のまとまりに接することのないように構成されている。
【０１０５】
単独で、または上記と組み合わせて、本発明はまた、多量のアイテムをパッケージし、かつ分配する装置を提供し、その装置は、特にカバーである第１部分と、後退位置と伸長位置との間で第１部分に対して移動可能である特に引き出しである第２部分とを備える箱と、第２部分に配置される前記アイテムの多量のまとまりを備え、特に引き出しである第２部分が後退位置に向かって移動させられている間に、特に箱のカバーであるその第１部分は、まずアイテムの多量のまとまりを押圧し、次に接触するアイテムを利用者が掴みやすくするためにアイテムの多量のまとまりに対して運ぶように構成され、第２部分は、蝶つがいによって互いに連結される２つのヒンジ連結部形状である。
【０１０６】
請求項を含む説明を通して、「〜を１つ備える（comprising a)」という言葉は、そうではないと明記されていない限り、「少なくとも１つ備える（comprising at least one）」と同義であると理解されるべきである。
【図面の簡単な説明】
【０１０７】
【図１】図１は本発明によって製作された装置の中央平面の縦断面図であり、引き出しが後退位置にある状態を示す。
【図２】図２は、図１の箱のカバーの分離された状態を示す。
【図３】図３は、展開された状態の分離された引き出しを示す。
【図４】図４は、駆動部材の一部分を示す正面図である。
【図５】図５は、引き出しのフレームを示す部分平面図である。
【図６】図６は、当該装置の１製造工程を示す図である。
【図７】図７は、当該装置の別の製造工程を示す図である。
【図８】図８は、当該装置の別の製造工程を示す図である。
【図９】図９は、アイテムを分配する１サイクルの１工程を示す図である。
【図１０】図１０は、アイテムを分配する１サイクルの別の工程を示す図である。
【図１１】図１１は、アイテムを分配する１サイクルの別の工程を示す図である。
【図１２】図１２は、アイテムを分配する１サイクルの別の工程を示す図である。
【図１３】図１３は、アイテムを分配する１サイクルの別の工程を示す図である。
【図１４】図１４は、アイテムを分配する１サイクルの別の工程を示す図である。
【図１５】図１５は、アイテムを分配する１サイクルの別の工程を示す図である。
【図１６】図１６は、アイテムを分配する１サイクルの別の工程を示す図である。
【図１７】図１７は、実施例の詳細を示す。
【図１８】図１８は、図１６の構成の箱の駆動部材とカバーとの相対的な位置の詳細を示す。
【図１９】図１９は、分配に適したアイテムの変形例を示す部分断面図である。
【図２０】図２０は、分配に適したアイテムの変形例を示す部分断面図である。
【図２１】図２１は、分配に適したアイテムの変形例を示す部分断面図である。
【符号の説明】
【０１０８】
１  装置
２  箱
３  多量のまとまり
４  アイテム
５  カバー
６  引き出し
７  ハウジング
１０  駆動部材
１１  上壁
１３  底壁
１５  タブ
１６  終端部
１７  表面
１８  表面
２０  第１起伏形状
２３  第２起伏形状
２４  底壁
２６  第１ヒンジ連結部
２７  第２ヒンジ連結部
２８  膜ヒンジ
３０  傾斜
３１  リム
３２  セットバック
３４  フレーム
３６  後壁
３８  ブランチ
３９  ブランチ
４０  表面
４１  滑り面
４３  底面
４４  底面
４６  前部
５０  突起
５３  面
７０  上面
７６  スロット
８５  隙間
【図１】
2005193983.tif 000003
【図２】
2005193983.tif 000004
【図３】
2005193983.tif 000005
【図４】
2005193983.tif 000006
【図５】
2005193983.tif 000007
【図６】
2005193983.tif 000008
【図７】
2005193983.tif 000009
【図８】
2005193983.tif 000010
【図９】
2005193983.tif 000011
【図１０】
2005193983.tif 000012
【図１１】
2005193983.tif 000013
【図１２】
2005193983.tif 000014
【図１３】
2005193983.tif 000015
【図１４】
2005193983.tif 000016
【図１５】
2005193983.tif 000017
【図１６】
2005193983.tif 000018
【図１７】
2005193983.tif 000019
【図１８】
2005193983.tif 000020
【図１９】
2005193983.tif 000021
【図２０】
2005193983.tif 000022
【図２１】
2005193983.tif 000023
【外国語明細書】
2005193983000001.pdf
2005193983000002.pdf
2005193983000003.pdf
2005193983000004.pdf